(57)【特許請求の範囲】
【請求項１】
防水床パンに出入り口に対応する部分で出入り口の幅方向に亙るように切り欠きを設け、この切り欠きの下方に排水を受ける排水樋を全長に亙って装着し、排水樋の長手方向の端部に排水樋の端部を閉塞するための端部キャップを一体に装着し、両側の縦枠の下部間に下枠を架設したドア枠を排水樋の上方に配置すると共にドア枠の下枠をこの下枠の上面が防水床パンの床面と略面一になるように排水樋に装着し、上記切り欠き縁と下枠の浴室内側の縁との間に排水樋内と連通する開口部を設け、この開口部を覆うように下枠の略全長に亙って排水目皿を配置して排水目皿の下枠側の端縁を下枠に受けると共に排水目皿の浴室内側の端縁を切り欠き縁に載せて受け、ドア枠の両側の縦枠と対応する位置で上記排水目皿で覆われない開口部の端部にこの部分を覆う化粧キャップを水平方向に移動自在に嵌め込むと共に化粧キャップの端縁を縦枠に密着させて固定して成ることを特徴とする浴室ユニットの出入り口部分の構造。
【請求項２】
ドア枠の下枠や縦枠と排水樋や防水床パンに立設した壁パネルとの間の接合部は奥部に装填したパッキンと、パッキンより浴室内側の充填溝に充填したシリコンシーリング材のようシーリング材とでシールされたことを特徴とする請求項１記載の浴室ユニットの出入り口部分の構造。
【請求項３】
充填溝に充填したシーリング材の表面を覆うようにシリコンシーリング材のような表面被覆シーリング材がさらに被覆されて３重にシールされたことを特徴とする請求項２記載の浴室ユニットの出入り口部分の構造。
【発明の詳細な説明】
【０００１】
【発明の属する技術分野】
本発明は浴室ユニットの出入り口部分の構造に関し、詳しくは出入り口から浴室内の水が外に漏れないようにする構造に関するものである。
【０００２】
【従来の技術】
近年、浴室に対して出入りするとき足をつまずいたりしないようにするためにドア枠の下枠の上面と浴室の防水床パンの上面とが略面一になるように施工することが行われるようになってきた。この場合、ドア枠の下枠に下枠の長手方向に長い水止め部材を上下に起倒自在に装着し、ドア枠に装着したドアを閉塞したとき水止め部材を起立させ、ドアを開放したとき水止め部材を下枠の上に倒す構造とし、ドアを閉じたとき出入り口から浴室内の水が浴室外に出ないようにすると共にドアを開いたとき水止め部材が通行の支障とならないようにしている。また下枠の浴室内側に排水溝を設けると共に排水溝の上面を目皿で覆うことで、浴室内の水が浴室外に出るのを防止している。
【０００３】
【発明が解決しようとする課題】
ところが、上記のように排水溝を設けて排水溝の上面の開口部を目皿で覆った場合、目皿の長手方向の端部で開口部の仕舞いが悪いという問題があった。特に開口部の端部がドア枠の縦枠と対応する場合、下枠のある部分と同様に目皿で覆うことができず、開口部の端部の仕舞いが悪いという問題があった。
【０００４】
本発明は上記の点に鑑みてなされたものであり、排水樋の開口部の端部を綺麗に仕舞うことができる浴室ユニットの出入り口部分の構造を提供することを課題とするものである。
【０００５】
【課題を解決するための手段】
上記課題を解決するために本発明の請求項１の浴室ユニットの出入り口部分の構造は、防水床パン１に出入り口に対応する部分で出入り口の幅方向に亙るように切り欠き２を設け、この切り欠き２の下方に排水を受ける排水樋３を全長に亙って装着し、両側の縦枠４ａの下部間に下枠４ｂを架設したドア枠４を排水樋３の上方に配置すると共にドア枠４の下枠４ｂをこの下枠４ｂの上面が防水床パン１の床面と略面一になるように排水樋３に装着し、排水樋３の長手方向の端部に排水樋３の端部を閉塞するための端部キャップ１６，１７を一体に装着し、上記切り欠き２縁と下枠４ｂの浴室内側の縁との間に排水樋３内と連通する開口部５を設け、この開口部５を覆うように下枠４ｂの略全長に亙って排水目皿６を配置して排水目皿６の下枠４ｂ側の端縁を下枠４ｂに受けると共に排水目皿６の浴室内側の端縁を切り欠き２縁に載せて受け、ドア枠４の両側の縦枠４ａと対応する位置で上記排水目皿６で覆われない開口部５の端部にこの部分を覆う化粧キャップ７，８を水平方向に移動自在に嵌め込むと共に化粧キャップ７，８の端縁を縦枠４ａに密着させて固定して成ることを特徴とする。排水樋３の上面の開口部５の縦枠４ａと対応する位置の端部に化粧キャップ７，８を嵌め込んで固定することにより外観よく仕舞うことができる。このとき化粧キャップ７，８を嵌め込んでから水平方向に位置調整して化粧キャップ７，８の端縁を縦枠４ａに当接し、この状態で固定できるものであって、ドア枠４を取り付ける位置に施工誤差があっても化粧キャップ７，８にて外観よく仕舞うことができる。
【０００６】
また本発明の請求項２の浴室ユニットの出入り口部分の構造は、請求項１において、ドア枠４の下枠４ｂや縦枠４ａと排水樋３や防水床パン１に立設した壁パネル９との間の接合部は奥部に装填したパッキン１０と、パッキン１０より浴室内側の充填溝１１に充填したシリコンシーリング材のようなシーリング材１２とでシールされたことを特徴とする。パッキン１０とシーリング材１２とでシールできて確実に防水できる。
【０００７】
また本発明の請求項３の浴室ユニットの出入り口部分の構造は、請求項２において、充填溝１１に充填したシーリング材１２の表面を覆うようにシリコンシーリング材のような表面被覆シーリング材１３がさらに被覆されて３重にシールされたことを特徴とする。パッキン１０とシーリング材１２と表面被覆シーリング材１３とでシールできて一層確実に防水できる。
【０００８】
【発明の実施の形態】
浴室の底部には全面に亙って防水床パン１が敷設されており、防水床パン１の周囲には立ち上がり縁１４を略全周に亙って設けてあり、立ち上がり縁１４の上部には全周に亙って載置段部１５を設けてあり、そして防水床パン１の周囲に立設した壁パネル９の下端を載置段部１５に載設してある。この防水床パン１の周囲のうち出入り口を設ける部分には出入り口の幅方向に亙るように平面から見てＬ字状になるように切り欠き２を設けてある。
【０００９】
この切り欠き２を設けた部分の下方には切り欠き２の全長に亙るように断面略Ｕ字状の排水樋３を配置してあり、この排水樋３を防水床パン１に取り付けある。このように防水床パン１と別体の部材として取り付けられる排水樋３は十分に深さのあるものであって、出入り口の幅方向に亙る部分にだけ設けるものでも十分に容積があって、十分に排水を吸収して排水の勢いを止めることができる。この排水樋３の長手方向の端部には排水樋３の端部を閉塞するための端部キャップ１６，１７を一体に装着してあり、各端部キャップ１６，１７には夫々下方に突出するように排水口１８を垂下してある。端部キャップ１６の端面の止水板１６ａの上端は防水床パン１の切り欠き２縁の下面側に載置段部１５まで至るように当接してある。端部キャップ１７の止水板１７ａの上端部は防水床パン１の立ち上がり縁１４と同様に立ち上げてあり、止水板１７ａの上端に設けた載置段部１５に壁パネル９の下端を載せて支持できるようになっている。端部キャップ１６，１７内の中段の高さ位置には仕切り板１９を一体に設けてあり、仕切り板１９に矩形状の遊嵌孔２０を穿孔してある。
【００１０】
排水樋３の一方の側壁３ａは防水床パン１の裏リブ２１に沿わせられ、側壁３ａの上部から裏リブ２１にビスのような固着具２２を打入して側壁３ａの上部が防水床パン１に固着される。排水樋３の側壁３ａの下部から側方に取り付け片２３を突設してあり、取り付け片２３から裏リブ２１にビスのような固着具２２を打入して側壁３ａの下部が固着される。排水樋３の他方の側壁３ｂの上端には長手方向に亙るように側方に突出する受け部２４を設けてある。
【００１１】
ドア枠４は両側の縦枠４ａと両側の縦枠４ａの上端間に架設した上枠と両側の縦枠４ａの下端間に架設した下枠４ｂとで矩形枠状に形成されており、このドア枠４を排水樋３の上方に配置して取り付けてある。ドア枠４を取り付けるとき下枠４ｂの下面は上記受け部２４に載置され、縦枠４ａが壁パネル９の側端に連結される。防水床パン１のコーナ部に位置する一方の縦枠４ａは縦枠４ａと壁パネル９の端部との間にドア固定用アングル２５を介装し、夫々ドア固定用アングル２５から縦枠４ａや壁パネル９にビスのような固着具２２を打入して固定される。他方の縦枠４ａは縦枠４ａから壁パネル９にビスのような固着具２２を打入して固定される。
【００１２】
ドア枠４の下枠４ｂの下面が排水樋３の受け部２４に載置されるが、この間の奥部にはソフトテープのようなシール性のあるパッキン１０が介装されており、このパッキン１０を介装した部分より浴室内側で段部１１ａを設けることで形成した充填溝１１にシリコンシーリング材のようなシーリング材１２が充填されており、このシリコンシーリング材１２の表面側にはシリコンシーリング材のような表面被覆シーリング材１３が被覆されている。このようにしてパッキン１０と充填溝１１に充填したシーリング材１２と表面被覆シーリング材１３で３重にシールされる。また縦枠４ａの外面と止水板１６ａ，１７ａとの間、縦枠４ａと壁パネル９との間、排水樋３の側壁３ａの上端と防水床パン１の切り欠き２縁の下面との間も上記のようにパッキン１０とシーリング材１２と表面被覆シーリング材１３で３重にシールされることが望ましい。
【００１３】
上記のようにドア枠４が取り付けられるが、ドア枠４を取り付けることでドア枠４の下枠４ｂの浴室内側の縁と切り欠き２縁で囲まれる部分に排水樋３内に連通する開口部５が形成され、開口部５がドア枠４の幅方向の全長に亙っている。下枠４ｂの開口部５側の縁には上支持片２６ａと下支持片２６ｂとよりなる受け部２６を下枠４ｂの長手方向全長に亙って設けてある。開口部５を覆う排水目皿６は細長い矩形状の板であり、凸条を長手方向に亙るように設けてあると共に小孔よりなる排水孔を多数穿孔してある。かかる排水目皿６は幅が開口部５の幅よりやや広く、長さが下枠４ｂの長さと同じである。本例の場合、排水目皿６の裏面側に横片２７ａと縦片２７ｂよりなる断面略Ｌ字状のヘアーキャッチャー２７を一体に装着してある。このヘヤーキャッチャー２７は櫛刃状であり、下枠４ｂの長手方向全長に亙っている。またヘアーキャッチャー２７を排水目皿６の裏面に取り付けるとき、排水目皿６が上下に回動可能に取り付けられるものであって、排水目皿６の下面側に設けた嵌合凹所２８にヘアーキャッチャー２７の縦片２７ｂの上端の嵌合軸部２９を回転可能に嵌合してある。このヘアーキャッチャー２７は上下に回動可能であるが、横片２７ａが水平状態より下方に回動しないように嵌合軸部２９に設けた突起状のストッパー３０が排水目皿６に係止し得る構造になっている。排水目皿６はヘアーキャッチャー２７と一緒に開口部５を覆うように取り付けられるものであって、排水目皿６の一方の端縁を受け部２６の上支持片２６ａと下支持片２６ｂとの間に挿入し、排水目皿６の他方の端縁が切り欠き２縁の上に載置される。このとき排水目皿６の係止部３１が開口部５内に挿入されて排水目皿６の幅方向の移動が規制される。排水目皿６を取り付けるとき排水目皿６にヘアーキャッチャー２７が一体に取り付けてあっても横片２７ａの先端が排水目皿６に近接するように回動するために図２の矢印ａのように排水目皿６を容易に装着できる。
【００１４】
上記のように排水目皿６が下枠４ｂの長手方向全長に亙って取り付けられるが、開口部５の縦枠４ａに対応する部分の両端は化粧キャップ７，８にて次のように仕舞われる。化粧キャップ７はコーナー排水化粧キャップであり、上面の略Ｌ字状の表面板部７ａと、表面板部７ａの下方に一体に設けたブロック部７ｂと、ブロック部７ｂの下端に設けた突起７ｃとで構成されている。この化粧キャップ７は図９（ａ）の矢印ｂのようにブロック部７ｂを開口部５内に挿入してブロック部７ｂの下端を仕切り板１９の上に載せ、突起７ｃを仕切り板１９の遊嵌孔２０に遊嵌し、表面板部７ａの縁部を切り欠き２縁に載せるように配置される。このとき、ブロック部７ｂの外面と対向する開口部５の内面に塗布したシリコンシーリング材のような接着剤３２にてブロック７ｂが接着されて固定される。また化粧キャップ８は平排水化粧キャップであり、上面の平板状の表面板部８ａと、表面板部８ａの下方に一体に設けたブロック部８ｂと、ブロック部８ｂの下端に設けた突起８ｃとで構成されている。この化粧キャップ８は図９（ｂ）の矢印ｃのようにブロック部８ｂを開口部５内に挿入してブロック部８ｂの下端を仕切り板１９の上に載せ、突起８ｃを仕切り板１９の遊嵌孔２０に遊嵌し、表面板部８ａの縁部を切り欠き２縁に載せるように配置される。このとき、ブロック部８ｂの外面と対向する開口部５の内面に塗布したシリコンシーリング材のような接着剤３２にてブロック７ｂが接着されて固定される。上記のように化粧キャップ７，８が取り付けられるが、突起７ｃ，８ｃを遊嵌孔２０に遊嵌してあるために化粧キャップ７，８を図９の矢印ｄ，ｅのように前後左右に位置調整することができ、化粧キャップ７，８の端縁を縦枠４ａに当接して外観よく仕舞うことができる。このためドア枠４を取り付ける位置に施工誤差があっても化粧キャップ７，８にて外観よく仕舞うことができる。
【００１５】
ドア枠４の下枠４ｂの上面の浴室内側部分には下枠４ｂの長手方向に亙るようにスライド溝３３を設けてあり、ドア枠４内に開閉自在に配置した二つ折りドア３４の下端のスライド軸３５がスライド溝３３にスライド自在に装着してある。下枠４ｂのスライド溝３３より浴室外側には下枠４ｂの長手方向に亙るように凹所３７を設けてあり、この凹所３７の部分には凹所３７の上面を覆い得る板状の水止め部材３８を配置してあり、この水止め部材３８を下枠４ｂに起倒自在に装着してある。つまり、下枠４ｂの凹所３７内の浴室外側の縁部には長手方向に亙るように枢支軸部３９を設けてあり、水止め部材３８の縁部に長手方向に亙って設けた枢支部４０を枢支軸部３９に回転自在に装着してある。この水止め部材３８は倒したとき水平になって凹所３７の上面開口を閉塞し、起こしたとき斜め上方を向くようになっている。縦枠４ａの内周側には二つ折りドア３４を閉じたとき端縁が当たる戸当たり縁４１を設けてあるが。この戸当たり縁４１より浴室外側で下枠４ｂの上には止水板４２を装着してあり、水止め部材３８を起立させたとき水止め部材３８が止水板４２の下面に当接するようになっている。この下枠４ｂの凹所３７の浴室内側には空間４３を設けてあるが、凹所３７と空間４２とは連通孔４４にて連通しており、空間４３は連通孔４５にて排水樋３内に連通している。
【００１６】
上記の水止め部材３８は後述する駆動ユニットＡにて起倒するように駆動されるが、二つ折りドア３４を閉じたとき水止め部材３８が起立し、二つ折りドア３４を開いたとき水止め部材３８が倒れるようになっている。二つ折りドア３４を閉じて入浴しているとき、防水床パン１上の排水は排水目皿６からヘアーキャッチャー２７を介して排水樋３に排水される。このとき、排水目皿６を越えてさらに出入り口側に行く排水は起立した水止め部材３８で受けられ、水止め部材３８にてそれ以上浴室外側に行くことがない。水止め部材３８で受けられた水は図２の矢印ｆのように凹所３７に入り、連通孔４４を介して空間４３内を通り、連通孔４５、ヘアーキャッチャー２７を介して排水樋３に排水される。本例の場合、排水目皿６に小孔よりなる排水孔を設けて排水目皿６から排水樋３内に排水できるようになっているが、排水目皿６には必ずしも排水孔を設けてなくてもよい。
【００１７】
下枠４ｂの凹所３７に収納するように取り付けられる駆動ユニットＡは図１０乃至図１４に示すように形成されるものであり、ケーシング５１、アーム５２、トリガー５３、駆動用バネ５４、復帰用バネ５５等で構成されている。ケーシング５１にはトリガー用開口５６や一対のアーム収納開口５７を設けてあり、ケーシング５１の両側面には摺動ガイド溝５８を設けてある。この摺動ガイド溝５８は水平ガイド溝５８ａと傾斜ガイド溝５８ｂとで構成されている。またケーシング５１のアーム収納開口５７の下方にはガイドレール部５９を設けてある。アーム５２は２個一組となっており、アーム５２の基部を連結部６０で一体に連結してある。２個のアーム５２はケーシング５１のアーム収納開口５７に摺動自在に挿入してガイドレール部５９に載せてあり、アーム５２の側面に突設した摺動ピン６１，６２を摺動ガイド溝５８に摺動自在に装着してある。そして摺動ピン６１は水平ガイド溝５８ａに沿って摺動し、摺動ピン６２は傾斜ガイド溝５８ｂに沿って摺動するようになっている。トリガー５３は基台部５３ｂと半円筒状の操作部５３ａを一体に設けて形成されており、トリガー５３はトリガー用開口５６に摺動自在に装着してある。アーム５２の基部側にはバネ収納凹所６３を設けてあり、コイルバネのような駆動用バネ５４をバネ収納凹所６３に挿入してあり、駆動用バネ５４のアーム５２の基端から突出する端部をトリガー５３の基台部５３ｂに当接してある。駆動用バネ５４を装着した状態では駆動用バネ５４の力が作用していなくてアーム５２が水平に倒れた状態である。またアーム５２の連結部６０とケーシング５１との間にはコイルバネのような復帰用バネ５５を介装してあり、アーム５２がトリガー５３の方に摺動して倒れた状態になっている。復帰用バネ５５と駆動用バネ５４とは復帰用バネ５５の方が駆動用バネ５４よりバネ定数を小さくしてある。一対のアーム５２の先端にはアーム５２の摺動方向と直交する方向にピン埋設孔６４を穿設してあり、波形の溝を設けたスプリングピンのような連結ピン６５をピン埋設孔６４に挿入することで一方のアーム５２に連結ピン６５を装着してあり、アーム５２から下枠４ｂの長手方向と平行になるように連結ピン６５を突設してある。水止め部材３８の端部の下面には係止フック６７を装着してあり、この係止フック６７に連結ピン６５を係止してある。またトリガー５３の操作部５３ａは半円筒状になっているが、この操作部５３ａを覆うように上面を閉塞せる有底半円筒状のキャップ６６を被嵌してある。そしてこのキャップ６６の下部には外方に向けて水平に突出する鍔部６６ａを設けてあり、この鍔部６６ａにてトリガー用開口５６を覆ってある。
【００１８】
二つ折りドア３４を開いた状態ではトリガー５３が押されていなく、水止め部材３８は自重で倒れた状態である。このときアーム５２が図１３（ａ）や図１４（ａ）のように突出していなくて、アーム収納開口５７に収まっている。二つ折りドア３４を開いた状態では水止め部材３８が水平に倒れているために通行時に水止め部材３８に足が引っ掛かったりすることがない。この状態から二つ折りドア３４を閉じると、二つ折りドア３４にて図１３（ａ）の矢印ｈのようにトリガー５３が押される。トリガー５３が押されると、駆動用バネ５４を介してアーム５２が押され、アーム５２が復帰用バネ５５に抗して摺動する。アーム５２が摺動すると、上記のようにアーム５２の先端が斜め上に上がるように枢支部４０側に向けて摺動する。これによりアーム５２の先端から図１３（ｂ）の矢印ｉ方向に作用する力で水止め部材３８の枢支部４０の近傍が押されて水止め部材３８が回動し、水止め部材３８が起立する。水止め部材３８が立ち上がると、水止め部材３８の両端の上面が止水板４２の下面に当接し、浴室内側から水が漏れるのを確実に防止できる。上記のようにトリガー５３を押すと、駆動用バネ５４を介してアーム５２が押され、アーム５２が復帰用バネ５５に抗して摺動するが、アーム５２が摺動するとき摺動ピン６１が水平ガイド溝５８ａに沿って摺動すると共に摺動ピン６２が傾斜ガイド溝５８ｂに沿って摺動し、図１３（ｂ）や図１４（ｂ）のようにアーム５２の先端が斜め上に上がるように摺動する。上記のように水止め部材３８が起立した状態で水止め部材３８を踏んでも、アーム５２が駆動用バネ５４に抗して摺動して倒れて水止め部材３８が水平に倒れて水止め部材３８が破損することがない。このとき駆動用バネ５４を介してトリガー５３に図１３（ｄ）の矢印ｊのような力がかかる。また水止め部材３８を起立させるときトリガー５３にて駆動用バネ５４を介してアーム５２が押されてアーム５２の先端が斜め上に上がることで水止め部材３８を起立させるために水止め部材３８を長期に亙って安定よく起立させることができ、しかもトリガー５３の摺動ストロークが小さくても水止め部材３８を起立させることができる。このとき水止め部材３８の枢支部４０の近傍をアーム５２の先端が押すためにトリガー５３の摺動ストロークを一層少なくできる。また上記と逆に二つ折りドア３４を開くと、二つ折りドア３４がトリガー５３から離れ、トリガー５３の押圧が解除され、復帰用バネ５５にてアーム５２及びトリガー５３が上記と逆に摺動し、アーム５２が倒れて水止め部材３８が倒れる。このとき、アーム５２に復帰用バネ５５の力がかかり、連結ピン６５に図１３（ｃ）の矢印ｋの力が作用し、連結ピン６５と係止フックとが係止されているために水止め部材３８が復帰用バネ５５の力で下方に引かれて倒れる。
【００１９】
【発明の効果】
本発明の請求項１の発明は、叙述の如く排水樋の上面の開口部の縦枠と対応する位置の端部に化粧キャップを嵌め込んで固定しているので、外観よく仕舞うことができるものであり、しかも化粧キャップを嵌め込んでから水平方向に位置調整して化粧キャップの端縁を縦枠に当接し、この状態で固定できるので、ドア枠を取り付ける位置に施工誤差があっても化粧キャップにて外観よく仕舞ことができるものである。
【００２０】
また本発明の請求項２の発明は、請求項１において、ドア枠の下枠や縦枠と排水樋や防水床パンに立設した壁パネルとの間の接合部は奥部に装填したパッキンと、パッキンより浴室内側の充填溝に充填したシリコンシーリング材のようなシーリング材とでシールされたので、パッキンとシーリング材とで接合部をシールできて確実に防水できるものである。
【００２１】
また本発明の請求項３の発明は、請求項２において、充填溝に充填したシーリング材の表面を覆うようにシリコンシーリング材のような表面被覆シーリング材がさらに被覆されて３重にシールされたので、パッキンとシーリング材と表面被覆シーリング材とでシールできて一層確実に防水できるものである。
【図面の簡単な説明】
【図１】本発明の実施の形態の一部を分解した一部切欠斜視図である。
【図２】図１の組み立て状態のＸ−Ｘ線で切断した断面図である。
【図３】同上の排水目皿にヘヤーキャッチャーを装着した部分を拡大せる断面図である。
【図４】同上のドア枠の取り付けを説明する斜視図である。
【図５】同上の排水樋の一方の端部キャップの部分の斜視図である。
【図６】同上の排水樋の他方の端部キャップの部分を示す斜視図である。
【図７】同上の接合部をシールする部分を示す斜視図である。
【図８】同上の接合部をシールした状態の要部を拡大せる断面図である。
【図９】同上の化粧キャップを取り付ける状態を示し、（ａ）は一方の斜視図、（ｂ）は他方の斜視図である。
【図１０】同上の駆動ユニットの分解斜視図である。
【図１１】同上の駆動ユニットを示し、（ａ）は平面図、（ｂ）は正面図、（ｃ）は側面図である。
【図１２】（ａ）は図１１（ａ）のＹ−Ｙ線断面図、（ｂ）は図１１（ａ）のＺ−Ｚ線断面図である。
【図１３】（ａ）（ｂ）（ｃ）（ｄ）は同上の駆動ユニットの動作を説明する斜視図である。
【図１４】（ａ）（ｂ）は同上の駆動ユニットの動作を説明する側面図である。
【符号の説明】
１  防水床パン
２  切り欠き
３  排水樋
４  ドア枠
４ａ  縦枠
４ｂ  下枠
５  開口部
６  排水目皿
７  化粧キャップ
８  化粧キャップ
９  壁パネル
１０  パッキン
１１  充填溝
１２  シーリング材
１３  表面被覆シーリング材
【図１】
0003562340.tif 000002
【図２】
0003562340.tif 000003
【図３】
0003562340.tif 000004
【図４】
0003562340.tif 000005
【図５】
0003562340.tif 000006
【図６】
0003562340.tif 000007
【図７】
0003562340.tif 000008
【図８】
0003562340.tif 000009
【図９】
0003562340.tif 000010
【図１０】
0003562340.tif 000011
【図１１】
0003562340.tif 000012
【図１２】
0003562340.tif 000013
【図１３】
0003562340.tif 000014
【図１４】
0003562340.tif 000015